(57)【要約】      （修正有）【課題】雨水の侵入を完全に防止するようにした電柱用キャップを提供する。【解決手段】電柱Ｄの頂部に被着する合成樹脂製の電柱用キャップＡであって、上方へ膨出した平面円形状の天壁１の外周縁から下方へ延びる周側壁２を周設してなり、該周側壁２の内周面における下端開口３側に該下端縁２ａと平行な環状突条４を複数条周設し、各環状突条４における長手方向に対し直交する断面は上面が水平面に形成されかつ下面が先端に向かって漸次肉薄となるような傾斜面に形成される三角形状からなり、電柱Ｄの頂部に被着することにより前記周側壁２内周面の各環状突条４が電柱Ｄの外周面に密着するようにした。【選択図】図３
0003148343.tif 000002
【実用新案登録請求の範囲】
【請求項１】
電柱の頂部に被着する合成樹脂製の電柱用キャップであって、
平面円形状の天壁の外周縁から下方へ延びる周側壁を周設してなり、前記周側壁の内周面における下端開口側に該下端縁と平行な環状突条を複数条周設し、前記各環状突条における長手方向に対し直交する断面は上面が水平面に形成されかつ下面が先端に向かって漸次肉薄となるような傾斜面に形成される三角形状からなり、
前記電柱の頂部に被着することにより前記周側壁内周面の前記各環状突条が該電柱の外周面に密着するようにしたことを特徴とする電柱用キャップ。
【請求項２】
電柱の頂部に被着する合成樹脂製の電柱用キャップであって、
平面円形状の天壁の外周縁から下方へ延びる周側壁を周設してなり、前記周側壁の内周面における下端開口側に該下端縁と平行な環状突条を複数条周設し、前記各環状突条における長手方向に対し直交する断面は上面が水平面に形成されかつ下面が先端に向かって漸次肉薄となるような傾斜面に形成される三角形状をなし、前記天壁の中央部にはその周囲より肉の厚い肉厚円形部を設け、
前記電柱の頂部に被着することにより前記周側壁内周面の前記各環状突条が該電柱の外周面に密着するようにしたことを特徴とする電柱用キャップ。
【考案の詳細な説明】
【技術分野】
【０００１】
本考案は、コンクリート製電柱の頂部に被着され、該電柱の頂部への雨水の侵入を防止するようにした電柱用キャップに関するものである。
【背景技術】
【０００２】
従来、この種電柱用キャップとして、例えば次に示すものがある。すなわち、該電柱用キャップは、平面円形状の天壁の外周縁から下方へ延びる周側壁を周設してなる。そして、該周側壁の内周面における下端開口側に、該下端開口縁に対して傾斜すると共に該下端開口縁に近づくにつれ次第に低くなるようにテーパ状に切り落とした複数本の傾斜突条を突設し、また、これら傾斜突条間において下端開口縁にほぼ平行な水平突条を突設して構成される（例えば、特許文献１参照。）。このように、前記周側壁の内周面にテーパ部を有する複数本の傾斜突条を突設すると共に、これら傾斜突条間に水平突条を突設するようにして、電柱頂部への装着を容易となし、また、水平突条により電柱用キャップの下端開口縁の強度を向上させることにより電柱の頂部から外れ難くしている。
【０００３】
【特許文献１】実公平４−５２３５８号公報（第１−３頁、図１）
【考案の開示】
【考案が解決しようとする課題】
【０００４】
しかしながら、前記特許文献１の電柱用キャップは、前記周側壁の内周面における下端開口側に突設された複数本の傾斜突条間に隙間が有る。同様に、これら傾斜突条の内の外側の傾斜突条と水平突条の端部との間にも隙間が有る。このため、電柱用キャップを電柱の頂部に被着した場合、電柱用キャップの中空内部と外気とが連通状態になる。
【０００５】
ところで、一般に電柱は鉄筋を這わせると共にコンクリートにより中空に成形されている関係上、電柱の頂部に雨水が掛かると、その雨水が浸入し鉄筋を腐らせ電柱を倒壊させてしまうといった危険性、または電柱内部へ挿通したアース線を損傷するといった危険性がある。そこで、前記のような電柱用キャップを開発したにも拘らず、該電柱用キャップを電柱の頂部に被着したとき、該電柱用キャップの中空内部と外気とが連通状態になっていると、その隙間を介して雨水が電柱用キャップ内に浸入し、鉄筋やアース線を損傷するといった事故を引き起こすという課題が払拭されていない。
【０００６】
そこで、本考案は上記課題を解決すべくなされたもので、雨水の侵入を完全に防止するようにした電柱用キャップを提供することを目的とするものである。
【課題を解決するための手段】
【０００７】
かかる目的を達成するため本考案に係る電柱用キャップは、電柱の頂部に被着する合成樹脂製の電柱用キャップであって、平面円形状の天壁の外周縁から下方へ延びる周側壁を周設してなり、前記周側壁の内周面における下端開口側に該下端縁と平行な環状突条を複数条周設し、前記各環状突条における長手方向に対し直交する断面は上面が水平面に形成されかつ下面が先端に向かって漸次肉薄となるような傾斜面に形成される三角形状からなり、前記電柱の頂部に被着することにより前記周側壁内周面の前記各環状突条が該電柱の外周面に密着するようにしたことを特徴とする。
【０００８】
また、本考案に係る電柱用キャップは、電柱の頂部に被着する合成樹脂製の電柱用キャップであって、平面円形状の天壁の外周縁から下方へ延びる周側壁を周設してなり、前記周側壁の内周面における下端開口側に該下端縁と平行な環状突条を複数条周設し、前記各環状突条における長手方向に対し直交する断面は上面が水平面に形成されかつ下面が先端に向かって漸次肉薄となるような傾斜面に形成される三角形状をなし、前記天壁の中央部にはその周囲より肉の厚い肉厚円形部を設け、前記電柱の頂部に被着することにより前記周側壁内周面の前記各環状突条が該電柱の外周面に密着するようにしたことを特徴とする。
【考案の効果】
【０００９】
本考案に係る電柱用キャップは、平面円形状の天壁の外周縁から下方へ延びる周側壁を周設し、該周側壁の内周面における下端開口側に該下端縁と平行な環状突条を複数条周設し、各環状突条における長手方向に対し直交する断面は上面が水平面に形成されかつ下面が先端に向かって漸次肉薄となるような傾斜面に形成される三角形状からなる。よって、電柱の頂部に電柱用キャップを被着したとき、各環状突条が電柱の外周面に隙間無くしっかりと嵌る。しかも、環状突条は複数条周設されていることから、何重にも気密性が高められ、雨水の浸入を完全に防ぐことができるという効果を奏する。
【００１０】
また、前記天壁の中央部にその周囲より肉の厚い肉厚円形部を設けるようにすれば、その部位が硬くなって天壁１が強度的に強くなり、天壁が型崩れすることなく保形性に優れる。
【考案を実施するための最良の形態】
【００１１】
以下、本考案に係る電柱用キャップの実施の形態を図面に基づき詳しく説明する。図１は上下を逆にして示す本考案に係る電柱用キャップの斜視図、図２は電柱用キャップの中央縦断面図である。電柱用キャップＡは、柔軟性を有する合成樹脂材により成形され、後記する電柱Ｄの頂部Ｄ１に被着される大きさを有する。詳しくは、電柱用キャップＡは、上方へ膨出する平面円形状の天壁１を有し、該天壁１の外周縁１ａから周側壁２が下方へ延びるようにして周設され、下端開口３面はその中心軸線に対して直交する面となりかつその下端開口３は円形状をなす。また、周側壁２は、外周面が上方に進むに従い漸次細径となるように形成される。これは電柱Ｄの外周面も同様に上方に進むに従い細径となるようになっており、その電柱Ｄの外周面にピタッと合うようにするためである。
【００１２】
前記周側壁２の内周面における下端開口３側に、該下端縁２ａと平行な環状突条４が等間隔離しそれぞれ独立して４条周設されている。各環状突条４における長手方向に対し直交する断面は、図２に拡大して示すように上面４ａが水平面（すなわち前記下端開口３面と平行をなす。）に形成され、下面４ｂが先端（電柱用キャップＡの中心側）に向かって漸次肉薄となるような傾斜面に形成され、これらと周側壁２とにより三角形状をなす。
【００１３】
また、前記天壁１の中央部には、その周囲より肉を厚くした肉厚円形部５が天壁１と同心円状に形成されている。これは、天壁１の厚みが薄いと、該天壁１が不安定になって凹むことが考えられるので、天壁１の強度を強くして保形性を高めるためである。
【００１４】
具体的には、例えば電柱用キャップＡにあって、天壁１の直径が１９５ｍｍ、高さが９０ｍｍ、下端開口３の直径が２００ｍｍ、肉厚円形部５の直径が６０ｍｍ、全体の肉の厚みが２．５ｍｍに設定される。そして、色は都市の美化、環境調和を考慮してコンクリート電柱Ｄと同じ灰色にしてある。
【００１５】
本考案に係る電柱用キャップＡは上記構成からなり、次に、その使用方法について説明する。図３は使用状態を示す電柱頂部の断面図を示し、電柱Ｄの中央部にはその上下に空洞部Ｃが形成され、コンクリート内にその長手方向に沿って複数本の鉄筋Ｔが這わせてある。この場合、各鉄筋Ｔの上端は、電柱Ｄの上端面より上方へ少し突出している。
【００１６】
そこで、例えば高所作業車の昇降ボックス（図示せず。）に作業者が乗って、電柱Ｄの頂部付近まで上昇し、電柱用キャップＡの下端開口３を電柱Ｄの上端に宛がい、電柱Ｄの外周面に各環状突条４を沿わせて押し下げる。この際、各環状突条４における長手方向に対し直交する断面は、その上面４ａが水平面に形成されかつ下面４ｂが先端に向かって漸次肉薄となるような傾斜面に形成される三角形状からなり、合成樹脂製であって弾力性を有し、下方へは屈曲しずらく上方へは屈曲し易い形状になっている。よって、電柱Ｄの頂部に電柱用キャップＡを被着するときは、各環状突条４が電柱用キャップＡを押し下げる方向とは逆方向（上方向）へ湾曲するので、被着し易く作業性が良い。
【００１７】
また、電柱用キャップＡを電柱Ｄの頂部に被着した状態では、各環状突条４がその弾性により電柱Ｄの外周面に圧接し、しかも、複数条、すなわち４条という４段構造とすることにより気密性が高められ、その電柱用キャップＡの中空内部への雨水の侵入が防止される。よって、電柱Ｄ内部の各鉄筋Ｔの腐食が防止されるばかりでなく、電柱Ｄ内部へ挿通したアース線を損傷させることもない。また、台風などの強風に煽られても、各環状突条４が電柱用キャップＡの引き抜く方向（下方向）へは湾曲しにくく、電柱Ｄの頂部に電柱用キャップＡがしっかりと被着され摩擦抵抗が大きくなって、電柱用キャップＡが抜け難いようになっている。更に、天壁１には、その中央部にその周囲よりも肉厚とした肉厚円形部５を設けているので、強度的に強く保形性に優れる。
【００１８】
図４、図５は他の実施の形態に係る電柱用キャップＡ１を示す。なお、該電柱用キャップＡ１は、本考案に係る電柱用キャップＡと比較し周側壁２１の高さが高いという点、及び環状突条４の本数が一本少ないという点を除き他はすべて同じ構成なので、同一部位は同一番号を附して詳しい説明は省略する。他の実施の形態に係る電柱用キャップＡ１は、次のような場合に使用される。
【００１９】
すなわち、通常、電柱Ｄの頂部の処理には、この種電柱用キャップＡ，Ａ１を被着する方法以外に図５に示すように、電柱Ｄの上端面にコンクリート板１０を載せ、その周囲にモルタル等の接合材１１を詰めて接着させ電柱Ｄの上端面に蓋をするようにしていた。しかしながら、この長期使用する間に前記接合材１１が風や雨等に晒され風化し、これによりコンクリート板１０が支持を失って落下してしまうといった危険性は避けられない。そこで、このような場合に、前記周側壁２１の高さを高くした他の実施の形態に係る電柱用キャップＡ１を使用して被着させる。この際、上部壁１０は比較的厚みが有るも、他の実施の形態に係る電柱用キャップＡ１はその分周側壁２１の高さが高いことから、何ら支障なく使用することができる。
【００２０】
このように、本考案に係る電柱用キャップＡ，Ａ１は、上方へ膨出した平面円形状の天壁１の外周縁１ａから下方へ延びる周側壁２を周設し、該周側壁２の内周面における下端開口３側に該下端縁２ａと平行な環状突条４を複数条周設し、各環状突条４における長手方向に対し直交する断面は上面４ａが水平面に形成されかつ下面４ｂが先端に向かって漸次肉薄となるような傾斜面に形成される三角形状からなる。よって、電柱用キャップＡ，Ａ１を電柱Ｄの頂部Ｄ１に被着したとき、各環状突条４が電柱Ｄの外周面に隙間無くしっかりと嵌る。しかも、環状突条４は複数条周設されていることから、何重にも気密性が高められ、雨水の浸入を完全に防ぐことができる。
【図面の簡単な説明】
【００２１】
【図１】上下を逆にして示す本考案に係る電柱用キャップの斜視図。
【図２】電柱用キャップの中央縦断面図。
【図３】使用状態を示す電柱頂部の断面図。
【図４】他の実施の形態に係る電柱用キャップの中央縦断面図。
【図５】同使用状態を示す電柱頂部の断面図。
【符号の説明】
【００２２】
１                天壁
１ａ              外周端
２                周側壁
２ａ              下端縁
３                下端開口
４                環状突条
４ａ              上面
４ｂ              下面
５                肉厚円形部
２１              周側壁
Ａ                電柱用キャップ
Ａ１              電柱用キャップ
Ｃ                空胴部
Ｄ                電柱
Ｄ１              頂部
Ｔ                鉄筋
【図１】
0003148343.tif 000003
【図２】
0003148343.tif 000004
【図３】
0003148343.tif 000005
【図４】
0003148343.tif 000006
【図５】
0003148343.tif 000007